(57)【特許請求の範囲】
【請求項１】
セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、移動局がどのエリアに位置するか、を推定することで、前記移動局の位置の測位を行う測位装置であって、
同一のセクタに属し伝播遅延の異なる複数のエリア間を移動する場合の最短移動時間を求めるための情報を記憶したエリア間接続関係記憶部と、
複数回の測位結果として得られる複数のエリアにおいて異なるエリア間を移動する場合の最短移動時間を求めるための情報を前記エリア間接続関係記憶部から読み出して、読み出した情報に基づいて当該異なるエリア間を移動する場合の最短移動時間と当該異なるエリアが測位された測位時刻の差分とを求め、当該測位時刻の差分が前記最短移動時間よりも小さい場合に、所定の手法で前記測位結果を補正する補正部と、
補正後の測位結果を出力する出力部と、
を備える測位装置。
【請求項２】
測位対象の移動局の情報を含んだ測位要求を受け付け、セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、前記移動局がどのエリアに位置するか、を推定することで、前記移動局の位置の測位を行う測位部と、
前記測位部による測位結果としての前記移動局が位置するエリアと、測位時刻とを記憶する測位結果記憶部と、
同一のセクタに属し伝播遅延の異なる複数のエリア間を移動する場合の最短移動時間を求めるための情報を記憶したエリア間接続関係記憶部と、
複数回の測位結果と測位時刻とを前記測位結果記憶部から読み出し、読み出された複数回の測位結果として得られる複数のエリアにおいて異なるエリア間を移動する場合の最短移動時間を求めるための情報を前記エリア間接続関係記憶部から読み出して、読み出した情報に基づいて当該異なるエリア間を移動する場合の最短移動時間と当該異なるエリアが測位された測位時刻の差分とを求め、当該測位時刻の差分が前記最短移動時間よりも小さい場合に、測位時刻が新しい方の測位結果に誤りがあると判定する誤り判定部と、
前記誤り判定部により誤りがあると判定された場合、所定の手法で前記測位結果を補正する測位結果補正部と、
補正後の測位結果、又は、誤りがないと判定された測位結果を出力する測位結果出力部と、
を備える測位装置。
【請求項３】
前記エリア間接続関係記憶部は、同一のセクタに属し伝播遅延の異なる複数のエリア間を移動する場合の、予め求められた最短移動時間を記憶し、
前記誤り判定部は、前記エリア間接続関係記憶部から、複数回の測位結果として得られる複数のエリアにおいて異なるエリア間を移動する場合の最短移動時間を読み出すことで該最短移動時間を得る、
ことを特徴とする請求項２記載の測位装置。
【請求項４】
前記エリア間接続関係記憶部は、同一のセクタに属し伝播遅延の異なる複数のエリア間を移動する場合の、予め求められた最短移動距離を記憶し、
前記誤り判定部は、前記エリア間接続関係記憶部から、複数回の測位結果として得られる複数のエリアにおいて異なるエリア間を移動する場合の最短移動距離を読み出し、該最短移動距離を所定の平均移動速度で割ることで前記最短移動時間を求める、
ことを特徴とする請求項２記載の測位装置。
【請求項５】
前記測位結果補正部は、測位時刻が複数の測位結果のうち、古い方の測位結果をもって新しい方の測位結果とすることで、該新しい方の測位結果を補正する、
ことを特徴とする請求項２〜４の何れか１項に記載の測位装置。
【請求項６】
前記測位結果補正部は、補正対象の新しい方の測位結果である対象エリアに対し、同一のセクタに属し且つ伝播遅延が前記対象エリアよりも大きいエリアをもって前記新しい方の測位結果とすることで該新しい方の測位結果を補正する、
ことを特徴とする請求項２〜４の何れか１項に記載の測位装置。
【請求項７】
前記エリア間接続関係記憶部は、さらに、同一のセクタに属し伝播遅延の異なる複数のエリア間の、予め求められた直線距離を記憶し、
前記測位結果補正部は、前記対象エリアに対し、同一のセクタに属し且つ伝播遅延が前記対象エリアよりも大きいエリアが複数存在する場合、該複数存在するエリアの各々と前記対象エリア間の直線距離を前記エリア間接続関係記憶部から読み出し、前記対象エリアとの間の直線距離が最も短いエリアをもって前記新しい方の測位結果とすることで該新しい方の測位結果を補正する、
ことを特徴とする請求項６記載の測位装置。
【請求項８】
前記測位装置は、同一のセクタに属する複数のエリアにて、前記移動局の位置が一のエリアであるとの測位結果が得られた場合に伝播遅延誤り補正にて正解とされるエリアを記憶した伝播遅延誤り補正情報記憶部を、さらに備え、
前記測位結果補正部は、前記対象エリアに対し、同一のセクタに属し且つ伝播遅延が前記対象エリアよりも大きいエリアが複数存在する場合、前記伝播遅延誤り補正情報記憶部から、前記対象エリアに対応付けられた正解とされるエリアを読み出し、該正解とされるエリアをもって前記新しい方の測位結果とすることで該新しい方の測位結果を補正する、
ことを特徴とする請求項６記載の測位装置。
【請求項９】
前記測位結果補正部は、前記対象エリアに対し、同一のセクタに属し且つ伝播遅延が前記対象エリアよりも大きいエリアが存在しない場合、測位時刻が複数の測位結果のうち古い方の測位結果を対象として所定の補正を行う、
ことを特徴とする請求項６記載の測位装置。
【請求項１０】
ＧＰＳ測位を行う少なくとも１つの移動局と、セルを形成する少なくとも１つの基地局と、セクタ測位を行う基地局制御装置と、前記移動局の位置の測位を行う測位装置とを含んで構成された通信システムであって、
前記測位装置は、
測位対象の移動局の情報を含んだ測位要求を受け付け、セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、前記移動局がどのエリアに位置するかを、当該移動局によるＧＰＳ測位の結果又は前記基地局制御装置によるセクタ測位の結果に基づいて、推定することで、前記移動局の位置の測位を行う測位部と、
前記測位部による測位結果としての前記移動局が位置するエリアと、測位時刻とを記憶する測位結果記憶部と、
同一のセクタに属し伝播遅延の異なる複数のエリア間を移動する場合の最短移動時間を求めるための情報を記憶したエリア間接続関係記憶部と、
複数回の測位結果と測位時刻とを前記測位結果記憶部から読み出し、読み出された複数回の測位結果として得られる複数のエリアにおいて異なるエリア間を移動する場合の最短移動時間を求めるための情報を前記エリア間接続関係記憶部から読み出して、読み出した情報に基づいて当該異なるエリア間を移動する場合の最短移動時間と当該異なるエリアが測位された測位時刻の差分とを求め、当該測位時刻の差分が前記最短移動時間よりも小さい場合に、測位時刻が新しい方の測位結果に誤りがあると判定する誤り判定部と、
前記誤り判定部により誤りがあると判定された場合、所定の手法で前記測位結果を補正する測位結果補正部と、
補正後の測位結果、又は、誤りがないと判定された測位結果を出力する測位結果出力部と、
を備える
ことを特徴とする通信システム。
【請求項１１】
セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、移動局がどのエリアに位置するか、を推定することで、前記移動局の位置の測位を行う測位装置、により実行される測位方法であって、
前記測位装置により予め記憶された、同一のセクタに属し伝播遅延の異なる複数のエリア間を移動する場合の最短移動時間を求めるための情報から、複数回の測位結果として得られる複数のエリアにおいて異なるエリア間を移動する場合の最短移動時間を求めるための情報を読み出すステップと、
読み出した情報に基づいて、当該異なるエリア間を移動する場合の最短移動時間と当該異なるエリアが測位された測位時刻の差分とを求め、当該測位時刻の差分が前記最短移動時間よりも小さい場合に、所定の手法で前記測位結果を補正するステップと、
補正後の測位結果を出力するステップと、
を備える測位方法。
【請求項１２】
測位装置により実行される測位方法であって、
測位対象の移動局の情報を含んだ測位要求を受け付けるステップと、
セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、前記移動局がどのエリアに位置するか、を推定することで、前記移動局の位置の測位を行うステップと、
測位結果としての前記移動局が位置するエリアと、測位時刻とを前記測位装置の測位結果記憶部に記憶するステップと、
複数回の測位結果と測位時刻とを前記測位結果記憶部から読み出し、読み出された複数回の測位結果として得られる複数のエリアにおいて異なるエリア間を移動する場合の最短移動時間を求めるための情報を、前記測位装置により予め記憶された同一のセクタに属し伝播遅延の異なる複数のエリア間を移動する場合の最短移動時間を求めるための情報から、読み出すステップと、
読み出した情報に基づいて当該異なるエリア間を移動する場合の最短移動時間と当該異なるエリアが測位された測位時刻の差分とを求め、当該測位時刻の差分が前記最短移動時間よりも小さい場合に、測位時刻が新しい方の測位結果に誤りがあると判定するステップと、
誤りがあると判定された場合に、所定の手法で前記測位結果を補正するステップと、
補正後の測位結果、又は、誤りがないと判定された測位結果を出力するステップと、
を備える測位方法。
【請求項１３】
前記測位装置は、同一のセクタに属し伝播遅延の異なる複数のエリア間を移動する場合の、予め求められた最短移動時間を記憶しており、
前記判定するステップにて、前記測位装置は、複数回の測位結果として得られる複数のエリアにおいて異なるエリア間を移動する場合の最短移動時間を読み出すことで該最短移動時間を得る、
ことを特徴とする請求項１２記載の測位方法。
【請求項１４】
前記測位装置は、同一のセクタに属し伝播遅延の異なる複数のエリア間を移動する場合の、予め求められた最短移動時間を記憶しており、
前記判定するステップにて、前記測位装置は、複数回の測位結果として得られる複数のエリアにおいて異なるエリア間を移動する場合の最短移動距離を読み出し、該最短移動距離を所定の平均移動速度で割ることで前記最短移動時間を求める、
ことを特徴とする請求項１２記載の測位方法。
【請求項１５】
前記補正するステップにて、前記測位装置は、測位時刻が複数の測位結果のうち、古い方の測位結果をもって新しい方の測位結果とすることで、該新しい方の測位結果を補正する、
ことを特徴とする請求項１２〜１４の何れか１項に記載の測位方法。
【請求項１６】
前記補正するステップにて、前記測位装置は、補正対象の新しい方の測位結果である対象エリアに対し、同一のセクタに属し且つ伝播遅延が前記対象エリアよりも大きいエリアをもって前記新しい方の測位結果とすることで該新しい方の測位結果を補正する、
ことを特徴とする請求項１２〜１４の何れか１項に記載の測位方法。
【請求項１７】
前記測位装置は、同一のセクタに属し伝播遅延の異なる複数のエリア間の、予め求められた直線距離をさらに記憶しており、
前記補正するステップにて、前記測位装置は、前記対象エリアに対し、同一のセクタに属し且つ伝播遅延が前記対象エリアよりも大きいエリアが複数存在する場合、該複数存在するエリアの各々と前記対象エリア間の直線距離を前記エリア間接続関係記憶部から読み出し、前記対象エリアとの間の直線距離が最も短いエリアをもって前記新しい方の測位結果とすることで該新しい方の測位結果を補正する、
ことを特徴とする請求項１６記載の測位方法。
【請求項１８】
前記測位装置は、同一のセクタに属する複数のエリアにて、前記移動局の位置が一のエリアであるとの測位結果が得られた場合に伝播遅延誤り補正にて正解とされるエリアを予め記憶しており、
前記補正するステップにて、前記測位装置は、前記対象エリアに対し、同一のセクタに属し且つ伝播遅延が前記対象エリアよりも大きいエリアが複数存在する場合、前記対象エリアに対応付けられた正解とされるエリアを読み出し、該正解とされるエリアをもって前記新しい方の測位結果とすることで該新しい方の測位結果を補正する、
ことを特徴とする請求項１６記載の測位方法。
【請求項１９】
前記補正するステップにて、前記測位装置は、前記対象エリアに対し、同一のセクタに属し且つ伝播遅延が前記対象エリアよりも大きいエリアが存在しない場合、測位時刻が複数の測位結果のうち古い方の測位結果を対象として所定の補正を行う、
ことを特徴とする請求項１６記載の測位方法。
【発明の詳細な説明】
【技術分野】
【０００１】
本発明は、移動局の測位を行う測位装置、通信システム及び測位方法に関する。
【背景技術】
【０００２】
従来より、無線通信環境において、移動局の位置を測定する（測位を行う）方式として、セクタ測位方式が知られている（特許文献１に「セルセクタ測位」として言及されている）。このセクタ測位方式では、例えば、セル内の複数のセクタのうち、測位時点で移動局からの受信信号の受信レベルが最大となるセクタが特定され、当該セクタの中心位置が移動局の位置と推定される。
【０００３】
また、セクタ内の位置を特定する方式として、いわゆるPRACH-PD測位方式が知られている。このPRACH-PD測位方式には、屋外を想定した方式と屋内を想定した方式が存在する。このうち屋外を想定した方式では、図９に示すように、移動局９１へ向けて送信されたPRACH信号が移動局９１から折り返して基地局９０に到達するまでの伝播時間が測定され、該伝播時間に基づいてセクタ内の移動局９１の位置が特定される。また、屋内を想定した方式では、図１０に示すように基地局９０の配下の１つのセクタに、当該基地局９０に接続され屋内に設置された移動通信用多分岐光伝送装置（Multi-drop  Optical  Feeder（以下「ＭＯＦ」と称する））９２を割り当て、該ＭＯＦ９２に接続されたアンテナ群９５、９６から送信される無線信号により当該１つのセクタを形成する構成とされている。ここで、ＭＯＦ９２とアンテナ群９５の間に挿入する遅延線９３と、ＭＯＦ９２とアンテナ群９６の間に挿入する遅延線９４とで、長さの異なるものを用いることにより、アンテナ群９５、９６の間に伝播遅延（Propagation  Delay、以下「ＰＤ」ともいう）を設ける。かかる構成において、基地局７０から送信されたPRACH信号が移動局で折り返して基地局７０に到達するまでの伝播時間が測定され、該伝播時間に基づいて伝播遅延が特定され、移動局がどのアンテナ群の近くに位置するか（即ち、セクタ内の移動局の位置）が特定される。
【特許文献１】特開２００７−３２２２３７号公報
【発明の開示】
【発明が解決しようとする課題】
【０００４】
しかしながら、測位時点での電波環境の影響によって測位誤差が生じることがある。例えば、図１０に示す構成では、アンテナ群９５とＭＯＦ９２との間に、遅延線９４よりも短い遅延線９３が挿入され、アンテナ群９５にはアンテナ群９６よりも短い伝播遅延が設けられている。このとき、基地局９０からアンテナ群９５、９６に送信された信号が、アンテナ群９５、９６から無線送信され各アンテナ群近傍の移動局で折り返して基地局９０で受信される際、アンテナ群９５、９６近傍の電波環境の影響によって、アンテナ群９６近傍の移動局で折り返した信号が、アンテナ群９６に加えて、アンテナ群９５によって受信されることがある。この場合、伝播遅延の短いアンテナ群９５近傍に位置すると誤って測位されてしまう。即ち、伝播遅延の検知誤りに起因して、誤った測位結果が得られるおそれがある。
【０００５】
本発明は、上記課題を解決するために成されたものであり、測位時点での電波環境の影響による伝播遅延の検知誤りに起因した測位誤差を適正に補正し、測位結果の信頼性を向上させることを目的とする。
【課題を解決するための手段】
【０００６】
本発明に係る測位装置は、セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、移動局がどのエリアに位置するか、を推定することで、前記移動局の位置の測位を行う測位装置であって、同一のセクタに属し伝播遅延の異なる複数のエリア間を移動する場合の最短移動時間を求めるための情報を記憶したエリア間接続関係記憶部と、複数回の測位結果として得られる複数のエリアにおいて異なるエリア間を移動する場合の最短移動時間を求めるための情報を前記エリア間接続関係記憶部から読み出して、読み出した情報に基づいて当該異なるエリア間を移動する場合の最短移動時間と当該異なるエリアが測位された測位時刻の差分とを求め、当該測位時刻の差分が前記最短移動時間よりも小さい場合に、所定の手法で前記測位結果を補正する補正部と、補正後の測位結果を出力する出力部と、を備えることを特徴とする。
【０００７】
また、本発明に係る測位装置は、以下のように記載することもできる。即ち、本発明に係る測位装置は、測位対象の移動局の情報を含んだ測位要求を受け付け、セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、前記移動局がどのエリアに位置するか、を推定することで、前記移動局の位置の測位を行う測位部と、前記測位部による測位結果としての前記移動局が位置するエリアと、測位時刻とを記憶する測位結果記憶部と、同一のセクタに属し伝播遅延の異なる複数のエリア間を移動する場合の最短移動時間を求めるための情報を記憶したエリア間接続関係記憶部と、複数回の測位結果と測位時刻とを前記測位結果記憶部から読み出し、読み出された複数回の測位結果として得られる複数のエリアにおいて異なるエリア間を移動する場合の最短移動時間を求めるための情報を前記エリア間接続関係記憶部から読み出して、読み出した情報に基づいて当該異なるエリア間を移動する場合の最短移動時間と当該異なるエリアが測位された測位時刻の差分とを求め、当該測位時刻の差分が前記最短移動時間よりも小さい場合に、測位時刻が新しい方の測位結果に誤りがあると判定する誤り判定部と、前記誤り判定部により誤りがあると判定された場合、所定の手法で前記測位結果を補正する測位結果補正部と、補正後の測位結果、又は、誤りがないと判定された測位結果を出力する測位結果出力部と、を備えることを特徴とする。
【０００８】
なお、エリア間接続関係記憶部は、同一のセクタに属し伝播遅延の異なる複数のエリア間を移動する場合の、予め求められた最短移動時間を記憶し、誤り判定部は、前記エリア間接続関係記憶部から、複数回の測位結果として得られる複数のエリアにおいて異なるエリア間を移動する場合の最短移動時間を読み出すことで該最短移動時間を得ることが望ましい。
【０００９】
また、エリア間接続関係記憶部は、同一のセクタに属し伝播遅延の異なる複数のエリア間を移動する場合の、予め求められた最短移動距離を記憶し、誤り判定部は、前記エリア間接続関係記憶部から、複数回の測位結果として得られる複数のエリアにおいて異なるエリア間を移動する場合の最短移動距離を読み出し、該最短移動距離を所定の平均移動速度で割ることで前記最短移動時間を求めることが望ましい。
【００１０】
上記の測位結果補正部は、測位時刻が複数の測位結果のうち、古い方の測位結果をもって新しい方の測位結果とすることで、該新しい方の測位結果を補正してもよい。
【００１１】
また、上記の測位結果補正部は、補正対象の新しい方の測位結果である対象エリアに対し、同一のセクタに属し且つ伝播遅延が前記対象エリアよりも大きいエリアをもって前記新しい方の測位結果とすることで該新しい方の測位結果を補正してもよい。このような補正を行う場合、以下のような態様を採用してもよい。
【００１２】
即ち、エリア間接続関係記憶部は、さらに、同一のセクタに属し伝播遅延の異なる複数のエリア間の、予め求められた直線距離を記憶し、測位結果補正部は、前記対象エリアに対し、同一のセクタに属し且つ伝播遅延が前記対象エリアよりも大きいエリアが複数存在する場合、該複数存在するエリアの各々と前記対象エリア間の直線距離を前記エリア間接続関係記憶部から読み出し、前記対象エリアとの間の直線距離が最も短いエリアをもって前記新しい方の測位結果とすることで該新しい方の測位結果を補正する態様を採用してもよい。
【００１３】
また、測位装置は、同一のセクタに属する複数のエリアにて、前記移動局の位置が一のエリアであるとの測位結果が得られた場合に伝播遅延誤り補正にて正解とされるエリアを記憶した伝播遅延誤り補正情報記憶部を、さらに備え、測位結果補正部は、前記対象エリアに対し、同一のセクタに属し且つ伝播遅延が前記対象エリアよりも大きいエリアが複数存在する場合、前記伝播遅延誤り補正情報記憶部から、前記対象エリアに対応付けられた正解とされるエリアを読み出し、該正解とされるエリアをもって前記新しい方の測位結果とすることで該新しい方の測位結果を補正する態様を採用してもよい。
【００１４】
さらに、測位結果補正部は、前記対象エリアに対し、同一のセクタに属し且つ伝播遅延が前記対象エリアよりも大きいエリアが存在しない場合、測位時刻が複数の測位結果のうち古い方の測位結果を対象として所定の補正を行う態様を採用してもよい。
【００１５】
ところで、本発明は、前述したように「測位装置に係る発明」として捉えることができるとともに、後述の「通信システムに係る発明」および「測位方法に係る発明」として捉えることもでき、同様の効果を奏する。
【００１６】
本発明に係る通信システムは、ＧＰＳ測位を行う少なくとも１つの移動局と、セルを形成する少なくとも１つの基地局と、セクタ測位を行う基地局制御装置と、前記移動局の位置の測位を行う測位装置とを含んで構成された通信システムであって、前記測位装置は、測位対象の移動局の情報を含んだ測位要求を受け付け、セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、前記移動局がどのエリアに位置するかを、当該移動局によるＧＰＳ測位の結果又は前記基地局制御装置によるセクタ測位の結果に基づいて、推定することで、前記移動局の位置の測位を行う測位部と、前記測位部による測位結果としての前記移動局が位置するエリアと、測位時刻とを記憶する測位結果記憶部と、同一のセクタに属し伝播遅延の異なる複数のエリア間を移動する場合の最短移動時間を求めるための情報を記憶したエリア間接続関係記憶部と、複数回の測位結果と測位時刻とを前記測位結果記憶部から読み出し、読み出された複数回の測位結果として得られる複数のエリアにおいて異なるエリア間を移動する場合の最短移動時間を求めるための情報を前記エリア間接続関係記憶部から読み出して、読み出した情報に基づいて当該異なるエリア間を移動する場合の最短移動時間と当該異なるエリアが測位された測位時刻の差分とを求め、当該測位時刻の差分が前記最短移動時間よりも小さい場合に、測位時刻が新しい方の測位結果に誤りがあると判定する誤り判定部と、前記誤り判定部により誤りがあると判定された場合、所定の手法で前記測位結果を補正する測位結果補正部と、補正後の測位結果、又は、誤りがないと判定された測位結果を出力する測位結果出力部と、を備えることを特徴とする。
【００１７】
本発明に係る測位方法は、セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、移動局がどのエリアに位置するか、を推定することで、前記移動局の位置の測位を行う測位装置、により実行される測位方法であって、前記測位装置により予め記憶された、同一のセクタに属し伝播遅延の異なる複数のエリア間を移動する場合の最短移動時間を求めるための情報から、複数回の測位結果として得られる複数のエリアにおいて異なるエリア間を移動する場合の最短移動時間を求めるための情報を読み出すステップと、読み出した情報に基づいて、当該異なるエリア間を移動する場合の最短移動時間と当該異なるエリアが測位された測位時刻の差分とを求め、当該測位時刻の差分が前記最短移動時間よりも小さい場合に、所定の手法で前記測位結果を補正するステップと、補正後の測位結果を出力するステップと、を備えることを特徴とする。
【００１８】
また、本発明に係る測位方法は、以下のように記載することもできる。即ち、本発明に係る測位方法は、測位装置により実行される測位方法であって、測位対象の移動局の情報を含んだ測位要求を受け付けるステップと、セルを予め複数のセクタに区分けし且つ各セクタを異なる伝播遅延が予め設けられた複数のエリアに区分けすることで前記セクタと前記伝播遅延との組合せに対応付けて設定された複数のエリアのうち、前記移動局がどのエリアに位置するか、を推定することで、前記移動局の位置の測位を行うステップと、測位結果としての前記移動局が位置するエリアと、測位時刻とを前記測位装置の測位結果記憶部に記憶するステップと、複数回の測位結果と測位時刻とを前記測位結果記憶部から読み出し、読み出された複数回の測位結果として得られる複数のエリアにおいて異なるエリア間を移動する場合の最短移動時間を求めるための情報を、前記測位装置により予め記憶された同一のセクタに属し伝播遅延の異なる複数のエリア間を移動する場合の最短移動時間を求めるための情報から、読み出すステップと、読み出した情報に基づいて当該異なるエリア間を移動する場合の最短移動時間と当該異なるエリアが測位された測位時刻の差分とを求め、当該測位時刻の差分が前記最短移動時間よりも小さい場合に、測位時刻が新しい方の測位結果に誤りがあると判定するステップと、誤りがあると判定された場合に、所定の手法で前記測位結果を補正するステップと、補正後の測位結果、又は、誤りがないと判定された測位結果を出力するステップと、を備えることを特徴とする。
【００１９】
なお、以下のようなさまざまな態様を採用してもよい。
【００２０】
測位装置は、同一のセクタに属し伝播遅延の異なる複数のエリア間を移動する場合の、予め求められた最短移動時間を記憶しており、前記判定するステップにて、前記測位装置は、複数回の測位結果として得られる複数のエリアにおいて異なるエリア間を移動する場合の最短移動時間を読み出すことで該最短移動時間を得てもよい。
【００２１】
また、測位装置は、同一のセクタに属し伝播遅延の異なる複数のエリア間を移動する場合の、予め求められた最短移動時間を記憶しており、前記判定するステップにて、前記測位装置は、複数回の測位結果として得られる複数のエリアにおいて異なるエリア間を移動する場合の最短移動距離を読み出し、該最短移動距離を所定の平均移動速度で割ることで前記最短移動時間を求めてもよい。
【００２２】
上記補正するステップでは、測位装置は、測位時刻が複数の測位結果のうち、古い方の測位結果をもって新しい方の測位結果とすることで、該新しい方の測位結果を補正してもよい。
【００２３】
また、上記補正するステップでは、測位装置は、補正対象の新しい方の測位結果である対象エリアに対し、同一のセクタに属し且つ伝播遅延が前記対象エリアよりも大きいエリアをもって前記新しい方の測位結果とすることで該新しい方の測位結果を補正してもよい。このような補正を行う場合、以下のような態様を採用してもよい。
【００２４】
即ち、測位装置は、同一のセクタに属し伝播遅延の異なる複数のエリア間の、予め求められた直線距離をさらに記憶しており、上記補正するステップでは、前記測位装置は、前記対象エリアに対し、同一のセクタに属し且つ伝播遅延が前記対象エリアよりも大きいエリアが複数存在する場合、該複数存在するエリアの各々と前記対象エリア間の直線距離を前記エリア間接続関係記憶部から読み出し、前記対象エリアとの間の直線距離が最も短いエリアをもって前記新しい方の測位結果とすることで該新しい方の測位結果を補正する態様を採用してもよい。
【００２５】
また、測位装置は、同一のセクタに属する複数のエリアにて、前記移動局の位置が一のエリアであるとの測位結果が得られた場合に伝播遅延誤り補正にて正解とされるエリアを予め記憶しており、上記補正するステップでは、前記測位装置は、前記対象エリアに対し、同一のセクタに属し且つ伝播遅延が前記対象エリアよりも大きいエリアが複数存在する場合、前記対象エリアに対応付けられた正解とされるエリアを読み出し、該正解とされるエリアをもって前記新しい方の測位結果とすることで該新しい方の測位結果を補正する態様を採用してもよい。
【００２６】
さらに、上記補正するステップでは、測位装置は、前記対象エリアに対し、同一のセクタに属し且つ伝播遅延が前記対象エリアよりも大きいエリアが存在しない場合、測位時刻が複数の測位結果のうち古い方の測位結果を対象として所定の補正を行う態様を採用してもよい。
【００２７】
以上のような本発明によれば、測位時点での電波環境の影響による伝播遅延の検知誤りに起因した測位誤差を適正に補正し、測位結果の信頼性を向上させることができる。
【発明の効果】
【００２８】
本発明によれば、測位時点での電波環境の影響による伝播遅延の検知誤りに起因した測位誤差を適正に補正し、測位結果の信頼性を向上させることができる。
【発明を実施するための最良の形態】
【００２９】
以下、本発明にかかる実施形態について図面を参照して説明する。
【００３０】
［通信システムの構成］
まず、本実施形態にかかる通信システムの構成について説明する。図１に示すように、本実施形態にかかる通信システム１は、ＧＰＳ（Global  Positioning  System）に基づく測位（以下「ＧＰＳ測位」という）を行う少なくとも１つの移動局４０と、セルを形成する少なくとも１つの基地局３０と、セクタ測位を行う基地局制御装置（Radio  Network  Controller、以下「ＲＮＣ」と称する）２０と、測位サーバ１０とを含んで構成されている。ここでは、移動局４０として、子供が携帯している移動局Ｂと、当該子供の親が携帯している移動局Ａとが存在する。なお、測位サーバ１０は、本発明に係る測位装置に相当する。
【００３１】
各移動局４０は、基地局３０を介した無線通信手順によって、測位対象の移動局の情報を含んだ測位要求を測位サーバ１０へ送信するとともに測位サーバ１０からの応答（測位結果）を受信する測位要求部４１と、受信された測位結果を表示する表示部４２と、ＧＰＳを利用して自己の移動局の測位を行うＧＰＳ測位部４３とを備える。
【００３２】
ＲＮＣ２０は、セクタ測位を行うセクタ測位部２１を備える。本実施形態における測位処理については、後述する。
【００３３】
測位サーバ１０は、ＲＮＣ２０との通信（各種情報の送受信）を行う通信制御部１１と、測位対象の移動局の位置の測位を行う測位部１５と、測位部１５による測位結果を記憶するための測位結果記憶部１６と、エリアごとに予め設定されたセクタＩＤ、伝播遅延および位置座標（緯度、経度、高度）を記憶したエリア属性記憶部１Ａと、同一のセクタに属し伝播遅延の異なる複数のエリア間を移動する場合の最短移動時間、最短移動距離および同エリア間の直線距離の情報を記憶したエリア間接続関係記憶部１７と、同一のセクタに属する複数のエリア間で伝播遅延についての誤り（以下「ＰＤ誤り」という）が生じた測位結果と該測位結果を補正するための補正エリアとを対応付けて記憶したＰＤ誤り補正情報記憶部１８と、測位結果にＰＤ誤りがあるか否かを判定する誤り判定部１２と、ＰＤ誤りがあると判定された場合に所定の手法で測位結果を補正する測位結果補正部１３と、補正後の測位結果又は誤りがないと判定された測位結果を出力する測位結果出力部１４と、測位部１５に対し測位要求を直接行うための測位要求部１９とを備える。このうち、測位部１５は、測位対象の移動局の情報を含んだ測位要求を受け付け、後述する手順で測位対象の移動局の測位を行う。
【００３４】
測位サーバ１０は、ハードウェアの観点からみると、例えば図２に示すように、オペレーティングシステムやアプリケーションプログラムなどを実行するＣＰＵ１０Ａと、ＲＯＭ及びＲＡＭで構成される主記憶部１０Ｂと、不揮発性メモリなどで構成される補助記憶部１０Ｃと、データ通信を行う通信制御部１０Ｄと、情報の表示や情報の印刷出力などを行う出力部１０Ｅと、文字・数字入力及び実行指示を行うためのキーで構成される操作部１０Ｆとを含んで構成される。なお、図１にて説明した各機能は、図２に示すＣＰＵ１０Ａ及び主記憶部１０Ｂの上に所定のソフトウェアを読み込ませて該ソフトウェアを実行するとともに、ＣＰＵ１０Ａの制御の下で通信制御部１０Ｄを動作させ、主記憶部１０Ｂや補助記憶部１０Ｃにおけるデータの読み出し及び書き込みを行うことで実現される。また、ＲＮＣ２０、基地局３０および移動局４０も、図２に示すような基本的なハードウェア構成を有している。
【００３５】
本実施形態では、図４に示すように、あるビルの屋内に設定された複数のエリア（セクタＩＤ及び伝播遅延の組合せにより区分けされたエリア）を想定している。図４で、Ｓｘ−ｙとは、セクタＩＤがｘで、伝播遅延の種別がｙとされたエリアを意味する。これら図４に示す各エリアの属性については、図３に示すように、エリア属性記憶部１Ａに、エリアごとのセクタＩＤ、伝播遅延および位置座標（緯度、経度、高度）が対応付けられて記憶されている。
【００３６】
図５には、エリア間接続関係記憶部１７に記憶された情報、即ち、同一のセクタに属し伝播遅延の異なる複数のエリア間を移動する場合の最短移動時間、最短移動距離および同エリア間の直線距離の情報を示す。
【００３７】
図６には、測位結果記憶部１６に記憶される測位結果の例を示す。図６に示すように、測位結果記憶部１６には、測位対象の移動局の識別情報（ユーザＩＤ）と、測位結果（具体的には、緯度、経度、高度、対応するエリア名）と、測位時刻とが記憶されるとともに、さらに、補正後の測位結果として補正エリア名が測位結果補正部１３によって記憶される。なお、移動局の識別情報（ユーザＩＤ）としては、移動局の電話番号を採用してもよいし、独自に設定したＩＤを採用してもよい。
【００３８】
図７には、ＰＤ誤り補正情報記憶部１８に記憶された情報の一例を示す。この図７に示すように、ＰＤ誤り補正情報記憶部１８には、同一のセクタに属する複数のエリア間で伝播遅延についての誤りが生じた測位結果と該測位結果を補正するための補正エリアとが対応付けられて記憶されている。
【００３９】
［本実施形態の処理フロー］
以下、図８のフロー図に沿って、本実施形態の通信システムにおいて実行される処理フローを説明する。ここでは、図１において、子供が携帯している移動局Ｂを対象とした測位を、親が携帯している移動局Ａから測位サーバ１０に対し要求する場面を想定している。
【００４０】
まず、移動局Ａが、測位サーバ１０に対し測位要求を行う（図８のステップＳ１）。具体的には、移動局Ａの測位要求部４１が、移動局Ａのユーザにより入力された測位対象の移動局ＢのＩＤ、連続測位条件を含んだ測位要求を測位サーバ１０あてに送信する。なお、上記の連続測位条件には、測位回数（有限の回数（例えば５回）又は無限の指定）および測位時間間隔（例えば１分間隔、５分間隔など）が含まれる。
【００４１】
次に、測位サーバ１０では、測位部１５は、通信制御部１１経由で、移動局Ａからの測位要求を受け付けると（ステップＳ２）、ＲＮＣ２０および測位対象の移動局Ｂと連携して以下のような測位を実行する（ステップＳ３）。
【００４２】
まず、測位部１５は測位要求をＲＮＣ２０へ送信する。ＲＮＣ２０では、セクタ測位部２１が、測位要求に含まれた「測位対象の移動局ＢのＩＤ」より測位対象を特定し、測位要求に含まれた「連続測位条件」より測位回数および測位時間間隔を認識し、そして、移動局Ｂを測位対象として、上記測位回数および測位時間間隔でのセクタ測位を行う。具体的には、セクタ測位部２１は、移動局Ｂが接続しているセクタと伝播遅延値とを測定し、当該セクタと伝播遅延値に基づいて、移動局Ｂのセクタ測位結果（緯度、経度、高度）を取得する。さらに、セクタ測位部２１は、移動局Ｂに対し、上記連続測位条件を含んだＧＰＳ測位の測位要求と、上記取得した移動局Ｂのセクタ測位結果（緯度、経度、高度）とを送信する。測位要求を受けた移動局Ｂでは、当該時点でＧＰＳ測位が実行可能であれば、ＧＰＳ測位部４３がＧＰＳ測位を実行し、そのＧＰＳ測位結果（緯度、経度、高度）をセクタ測位部２１へ返信する。一方、当該時点でＧＰＳ測位が実行可能でなければ、ＧＰＳ測位部４３は、上記セクタ測位結果（緯度、経度、高度）をセクタ測位部２１へ返信する。そして、セクタ測位部２１は、受信した測位結果（即ち、ＧＰＳ測位が実行可能な場合はＧＰＳ測位結果、ＧＰＳ測位が実行可能でない場合はセクタ測位結果）を測位部１５へ送信する。これにより、測位部１５は、移動局Ｂの測位結果（緯度、経度、高度）を得る。
【００４３】
なお、測位時間間隔については、測位要求にて指定されたとおりの測位時間間隔で測位を実施しても良いが、測位結果取得に時間がかかる場合は、（前回の測位結果の取得以降であり、且つ、前回の測位要求から測位時間間隔を経過した後である）という条件を満たす場合に測位を実施するようにしても良い。また、測位回数を「無限」と設定した場合には、移動局Ａの測位要求部４１から手動で測位停止要求を送信することで測位を終了する。
【００４４】
測位後、測位部１５は、測位対象の移動局のＩＤ（移動局ＢのユーザＩＤ、ここでは「U001」）に対応付けて、測位結果（緯度、経度、高度）および測位時刻を測位結果記憶部１６に記憶する（ステップＳ４）。このとき、測位部１５は、エリア属性記憶部１Ａを参照して測位結果の位置座標に対応するエリアを検索し、該当のエリア名を図６の測位結果記憶部１６の「エリア名」の欄に記憶する。
【００４５】
次に、誤り判定部１２は、測位結果記憶部１６を参照して過去の複数回の測位結果を読み出し、読み出された複数回の測位結果として得られる複数のエリアにおいて異なるエリア間を移動する場合の最短移動時間をエリア間接続関係記憶部１７から読み出す（ステップＳ５）。なお、このとき、過去の測位結果の読み出しにつき、過去何秒分取得するかについては予め設定しておく。
【００４６】
そして、誤り判定部１２は、上記異なるエリアが測位された測位時刻の差分を求め、当該測位時刻の差分が最短移動時間よりも小さいか否かを判定することで、測位結果に誤りが有るか否かを判定する（ステップＳ６）。即ち、測位時刻の差分が最短移動時間よりも小さい場合、測位結果に誤りが有る（具体的には、測位時刻が新しい方の測位結果に誤りがある）と判定し、測位時刻の差分が最短移動時間よりも小さくない場合、測位結果に誤りは無いと判定する。
【００４７】
ここで例えば、図６に示す測位結果記憶部１６から過去の２回（９時２分と９時３分）の測位結果Ｓ６−１、Ｓ６−２が読み出されたとすると、これら異なるエリアＳ６−１、Ｓ６−２間を移動する場合の最短移動時間「４００秒」がエリア間接続関係記憶部１７から読み出される。そして、誤り判定部１２は、測位時刻の差分「６０秒」を求め、当該測位時刻の差分「６０秒」が最短移動時間「４００秒」よりも小さいか否かを判定することで、測位結果に誤りが有るか否かを判定する。このとき、測位時刻の差分「６０秒」は最短移動時間「４００秒」よりも小さいので、測位時刻が新しい方の測位結果Ｓ６−２に誤りがあると判定される。
【００４８】
なお、エリア間接続関係記憶部１７に、異なるエリア間を移動する場合の「最短移動時間」が記憶されておらず「最短移動距離」が記憶されている場合は、上記ステップＳ５にて、誤り判定部１２は、異なるエリア間を移動する場合の最短移動距離を読み出し、該最短移動距離を予め設定された平均移動速度で割ることで最短移動時間を求めることができる。そして、誤り判定部１２は、前述と同様に、上記異なるエリアが測位された測位時刻の差分を求め、当該測位時刻の差分が最短移動時間よりも小さいか否かを判定することで、測位結果に誤りが有るか否かを判定することができる。
【００４９】
上記のステップＳ６にて測位結果（具体的には、異なるエリアが測位された２つの測位結果のうち、測位時刻が新しい方の測位結果）に誤りが有ると判定された場合、測位結果補正部１３は、以下のような第１の手法又は第２の手法により当該測位結果を補正する（ステップＳ７）。
【００５０】
第１の手法としては、測位結果補正部１３は、異なるエリアが測位された２つの測位結果のうち、古い方の測位結果をもって新しい方の測位結果とすることで、該新しい方の測位結果を補正する。
【００５１】
第２の手法としては、測位結果補正部１３は、異なるエリアが測位された２つの測位結果のうち、新しい方の測位結果（以下「対象エリア」ともいう）に対し、同一のセクタに属し且つ伝播遅延が対象エリアよりも大きいエリアをもって、新しい方の測位結果とすることで該新しい方の測位結果を補正する。
【００５２】
ここで、第２の手法に基づく補正を行う場合、対象エリアに対し、同一のセクタに属し且つ伝播遅延が対象エリアよりも大きいエリアが複数存在するケースが起こりうる。このようなケースについては、以下２つの対応策を採用すればよい。第１の策として、測位結果補正部１３は、該複数存在するエリアの各々と対象エリア間の直線距離をエリア間接続関係記憶部１７から読み出し、対象エリアとの間の直線距離が最も短いエリアをもって、新しい方の測位結果とすることで該新しい方の測位結果を補正すればよい。また、第２の策として、測位結果補正部１３は、ＰＤ誤り補正情報記憶部１８から、対象エリアに対応付けられた「正解とされるエリア」を読み出し、該「正解とされるエリア」をもって、新しい方の測位結果とすることで該新しい方の測位結果を補正すればよい。
【００５３】
なお、第２の手法に基づく補正を行う場合、対象エリアに対し、同一のセクタに属し且つ伝播遅延が対象エリアよりも大きいエリアが１つも存在しないときは、測位結果補正部１３は、異なるエリアが測位された２つの測位結果のうち、古い方の測位結果を対象として、前述した補正を行えばよい。
【００５４】
以上のような補正後は、測位結果出力部１４が、補正後の測位結果を出力する（ステップＳ８）。具体的には、測位結果出力部１４は、補正後の測位結果を移動局Ａ（測位要求を行った移動局）へ送信するとともに、該測位結果出力部１４を構成する表示装置に表示出力する。移動局Ａでは、測位要求部４１が補正後の測位結果を受信すると、受信された測位結果を表示部４２に表示出力する（ステップＳ９）。このとき、画面上に文字で例えば「測位対象はエリアＳ６−１付近にいます」といった表示をしてもよいし、画面に表示した地図上で補正エリアをプロットする形で表示をしてもよい。これにより、移動局Ａを携帯している親は、子供が携帯している移動局Ｂの位置（即ち、子供のいる位置）を認識することができる。
【００５５】
以上の実施形態によれば、測位時点での電波環境の影響による伝播遅延の検知誤りに起因した測位誤差を適正に補正し、測位結果の信頼性を向上させることができる。
【００５６】
なお、上記実施形態では、測位対象の移動局Ｂ以外の移動局Ａ又は測位サーバ１０から測位要求を行う態様を示したが、測位対象の移動局自身から測位要求を行っても良い。また、測位サーバ１０が備える機能の全てを移動局内に搭載してもよい。このとき、当該移動局は、自己を対象とした測位および測位結果の補正を自律的に行うことができる。この場合、当該移動局は、本発明に係る測位装置に相当する。また、測位サーバ１０が備える機能のうち、一部の機能を移動局内に搭載することで、該移動局は測位サーバ１０と連携して、自己の移動局を対象とした測位および測位結果の補正を行うことができる。
【図面の簡単な説明】
【００５７】
【図１】発明の実施形態にかかる通信システムの構成図である。
【図２】測位サーバのハードウェア構成図である。
【図３】エリア属性記憶部に記憶された情報を示す図である。
【図４】あるビルの屋内に設定されたエリアを示す図である。
【図５】エリア間接続関係記憶部に記憶された情報を示す図である。
【図６】測位結果記憶部に記憶される測位結果の例を示す図である。
【図７】ＰＤ誤り補正情報記憶部に記憶された情報を示す図である。
【図８】通信システムにおいて実行される処理フローを示す図である。
【図９】PRACH-PD測位方式を説明するための図である。
【図１０】PRACH-PD測位方式の屋内への適用例を示す図である。
【符号の説明】
【００５８】
１…通信システム、１０…測位サーバ、１０Ａ…ＣＰＵ、１０Ｂ…主記憶部、１０Ｃ…補助記憶部、１０Ｄ…通信制御部、１０Ｅ…出力部、１０Ｆ…操作部、１１…通信制御部、１２…誤り判定部、１３…測位結果補正部、１４…測位結果出力部、１５…測位部、１６…測位結果記憶部、１７…エリア間接続関係記憶部、１８…ＰＤ誤り補正情報記憶部、１９…測位要求部、１Ａ…エリア属性記憶部、２０…ＲＮＣ、２１…セクタ測位部、３０…基地局、４０…移動局、４１…測位要求部、４２…表示部、４３…ＧＰＳ測位部、９０…基地局、９１…移動局、９２…ＭＯＦ、９５、９６…アンテナ群、９３、９４…遅延線。
【図１】
0004619418.tif 000002
【図２】
0004619418.tif 000003
【図３】
0004619418.tif 000004
【図４】
0004619418.tif 000005
【図５】
0004619418.tif 000006
【図６】
0004619418.tif 000007
【図７】
0004619418.tif 000008
【図８】
0004619418.tif 000009
【図９】
0004619418.tif 000010
【図１０】
0004619418.tif 000011